(57)【要約】      （修正有）【課題】りん棒を安定的に保持でき、打りんの際には、掴みやすいおりんセットを提供する。【解決手段】上部が開口１３したりん１０と、りん１０を載置するりん載置部材３０と、りん１０の底部内側１２ａに立設載置するりん棒２０とを備え、りん１０は非磁性材からなり、りん棒２０は底部に磁石２２を有し、りん載置部材３０は強磁性材又は磁石３１を有し、りん棒２０側の磁石２２とりん載置部材３０側の強磁性材又は磁石３１との間にりん１０の底部１２を挟み込んだ状態でりん棒２０を磁力にてりん１０の底部内側１２ａに立設載置する。【選択図】図１
0003213973.tif 000002
【実用新案登録請求の範囲】
【請求項１】
上部が開口したりんと、前記りんを載置するりん載置部材と、前記りんの底部内側に立設載置するりん棒とを備え、
前記りんは非磁性材からなり、
前記りん棒は底部に磁石を有し、前記りん載置部材は強磁性材又は磁石を有し、
前記りん棒側の磁石と前記りん載置部材側の強磁性材又は磁石との間に前記りんの底部を挟み込んだ状態で前記りん棒を磁力にて前記りんの底部内側に立設載置することを特徴とするおりんセット。
【請求項２】
前記りん載置部材側は磁石を有し、前記りん棒の底部側は強磁性材又は磁石を有することを特徴とする請求項１記載のおりんセット。
【請求項３】
前記りん棒の底部に設けた磁石又は強磁性材は前記りん棒の底面との間に磁力を調整するための隙間を有することを特徴とする請求項１又は２記載のおりんセット。
【考案の詳細な説明】
【技術分野】
【０００１】
本考案は、仏具の１つであるおりんに関し、特にりんと、りんを打ち鳴らすためのりん棒と、りんの下に敷くりん座布団等のりん台との組み合せからなるおりんセットに係る。
【背景技術】
【０００２】
お仏壇等にお参りする際に、おりんが仏具として使用されている。
おりんは、りん棒でりんを打ち鳴らすと、澄み切った音が鳴る。
そこでりんは、りん座布団等のクッション製のある軟らかいりん載置部材を敷き、その上に載せ、りん棒で打りんすることが一般的である。
りん棒としては、丸棒形状に近いものや、拡径した断面円形状の打撃部を有するもの等が市販されているが、転がりやすく、りんの側に置いておくスペースも必要であった。
近年は、仏壇等が小型化し、それに伴っておりんの小型化が要求されている。
【０００３】
特許文献１には、りん載置台の上にりんを磁着するものが開示されているが、りんの揺動を目的としたものであり、りん棒との一体化を図ったものではない。
【先行技術文献】
【特許文献】
【０００４】
【特許文献１】特開２００９−１５３５６５号公報
【考案の開示】
【考案が解決しようとする課題】
【０００５】
本考案は、りん棒を安定的に保持でき、打りんの際には掴みやすいおりんセットの提供を目的とする。
【課題を解決するための手段】
【０００６】
本考案に係るおりんセットは、上部が開口したりんと、前記りんを載置するりん載置部材と、前記りんの底部内側に立設載置するりん棒とを備え、前記りんは非磁性材からなり、前記りん棒は底部に磁石を有し、前記りん載置部材は強磁性材又は磁石を有し、前記りん棒側の磁石と前記りん載置部材側の強磁性材又は磁石との間に前記りんの底部を挟み込んだ状態で前記りん棒を磁力にて前記りんの底部内側に立設載置することを特徴とする。
【０００７】
ここで、りん棒を非磁性材であるりんの底部内側に磁着するのに、りん棒の底部に磁石を取り付けた場合には、りん載置部材側に鉄等の強磁性材を設ける態様と、りん棒の底部に取り付けた磁石と、りん載置部材に設けた磁石との相互の対向面の磁極がＮ，Ｓ極相互に異なる態様がある。
また、このりん載置部材側に磁石を設けた場合には、りん棒の底部には鉄等の強磁性材、又は対向面が異極となる磁石を設けてもよい。
【０００８】
本考案では、りん棒をりんの底部内側にりん載置部材側との磁力を用いて立設するものであり、りん棒の底部は筒状の端面あるいは平坦面等を有するのが好ましい。
ここで、磁力が強すぎるとりん棒を掴み、持ち上げる際にりんから離れにくくなる。
そこで、本考案において、りん棒の底部に設けた磁石又は強磁性材は前記りん棒の底面との間に磁力を調整するための隙間を有するのが好ましい。
ここで隙間は空間でもよく、樹脂，布等の非磁性材をこの隙間として取り付けてもよい。
【０００９】
本考案において、りん棒は棒状の把持部と、その下側に拡径した打撃部を有し、これらは非磁性材であれば材質に限定はない。
例えば、樹脂材，黒檀等の木材が例として挙げられる。
打撃部には、底面に隙間が形成されるように、磁石又は強磁性材が取り付けられている。
また、りんの音が長く鳴り響くように、りん載置部材はクッション性のある布製の座布団であってもよい。
りんは、黄銅，青銅，沙張等の非磁性材を用いて鋳造等により製作され、上部が開口したお椀状であるのが好ましい。
【考案の効果】
【００１０】
本考案に係るおりんセットは、りん座布団のようなクッション性のあるりん載置部材を敷物にしてりんを載せた場合に、りんの底部内側に従来のりん棒を立てた状態で置こうとしても不安定であり倒れやすいが、本考案にあっては、りん棒の底部に設けた磁石又は強磁性材と、りん載置部材に設けた磁石等との間の磁力にて安定した状態で、りん棒を起立状態に保持できる。
これにより、従来のようにりん棒が転がることもなく、コンパクトなおりんセットになる。
また、りん棒とりん載置部材との間の磁力を調整してあることで、りん棒を持ち上げる際にりんの底部内側から離れやすくなり、りん棒の取り扱いが容易である。
【図面の簡単な説明】
【００１１】
【図１】本考案に係る実施例１のおりんセットの断面図を示す。
【図２】実施例２のおりんセットの断面図を示す。
【図３】実施例１の構成例（ａ）及び外観図（ｂ）を示す。
【図４】実施例３のおりんセットの断面図を示す。
【図５】（ａ）は実施例３の部品構成例、（ｂ）は外観図を示す。
【考案を実施するための最良の形態】
【００１２】
本考案に係るおりんセットの具体例を以下図に基づいて説明する。
図１，図３に実施例１を示す。
おりんセットは、りん１０と、このりん１０を載置するためのりん座布団（りん載置部材）３０を有する。
りん１０をりん座布団３０の上に載置した状態で、りん棒２０を起立状態にりん１０の底部１２の底部内側１２ａの上面に載置でき、その状態を磁力にて保持する。
【００１３】
りん１０は、黄銅を用いてお椀状に鋳造し、内外周面を切削加工にて仕上げた例になっている。
りん１０は、上方に開口部１３を有し、お椀状であれば形状や大きさに制限はない。
りん１０は、底部１２と、その周囲から立ち上げた側部１１を有し、本実施例では底部内側１２ａの上面が平坦になっているが、りん棒２０を中央部に載置できればよく、緩やかな凹面形状等でもよい。
底部１２の底部載置面１２ｂは、りん座布団３０に載置できれば凸面形状でもよく、その中央部に平坦部を形成してもよい。
【００１４】
りん棒２０は、棒状の把持部２３の下側に把持部よりも拡径した打撃部２１を取り付けてある。
把持部２３の上端部は、指で掴みやすいように少し拡径したつまみ部２３ａを有した例になっている。
把持部２３及び打撃部２１は別体でも一体的でもよいが、樹脂や木等の非磁性材で製作されている。
打撃部２１の内部には、収容部２１ａを形成し、その内部に磁石２２を把持部の先端に設けた取付部２３ｂを介して取り付けてある。
打撃部２１の端部２１ｂは、収容部２１ａを形成することで、円筒状の端部形状になっている。
これにより、りん棒２０が起立状態に保持しやすくなっている。
磁石２２は、磁力を調整する目的で収容部２１ａの端部側に樹脂製のスペーサー２４を取り付けてある。
このスペーサーの厚みを変えて、磁石２２の高さ調整をしてもよい。
【００１５】
りん座布団３０は、布製の袋体に綿等を詰めた布団状になっている。
本実施例１では、りん座布団３０の内部に磁石３１を入れてあり、打撃部２１側の磁石２２と、このりん座布団３０側の磁石３１とは、相互に磁着するように対向面がＮ，Ｓ極と異なる極となっている。
りん座布団３０の大きさもりん１０を載置できればよく、さらに小さくしてもよい。
【００１６】
実施例１のおりんセットの外観図を図３に示す。
通常は図３（ｂ）に示すように、セットした状態で仏壇等に置いてあり、供養する前にりん棒２０のつまみ部２３ａを指で掴んで持ち上げると、磁力がスペーサー２４の厚みにより調整されているので、りん１０の底部内側１２ａから容易に離れるようになっている。
【００１７】
本考案の実施例２を図２に示す。
りん棒の把持部２３と打撃部２１とを、ねじ部にて螺着するとともに、おねじ部からなる取付部２３ｃにめねじ部を有する磁石２２を螺着し、端部２１ｂとの間に空間からなる隙間２５を形成し、磁石２２の取り付け高さを調整する。
実施例２は、りん座布団３０の裏面側に鉄板からなる強磁性材３２を取り付けた例になっている。
これにより、りんの底部内側１２ａに磁力を用いてりん棒２０を立設保持できる。
なお、りん座布団側に磁石を取り付け、りん棒の打撃部２１の内部に鉄等の強磁性材を取り付けても同様の効果が得られる。
【００１８】
本考案の実施例３を図４，５に示す。
本実施例は、りん座布団の替わりに樹脂又は木製のりん載置部材４０とし、上面側に磁石３１ａ又は強磁性材を埋め込んである。
りん載置部材４０の上面には、フエルト等の軟質シート４１を取り付け、下面には滑り止めを目的に軟質シート４２を貼り付けてある。
【符号の説明】
【００１９】
１０      りん
１１      側部
１２      底部
１２ａ    底部内側
１２ｂ    底部載置面
１３      開口部
２０      りん棒
２１      打撃部
２１ａ    収容部
２１ｂ    端部
２２      磁石
２３      把持部
２３ａ    つまみ部
２３ｂ    取付部
２４      スペーサー
２５      隙間
３０      りん座布団（りん載置部材）
３１      磁石
３２      強磁性材
【図１】
0003213973.tif 000003
【図２】
0003213973.tif 000004
【図３】
0003213973.tif 000005
【図４】
0003213973.tif 000006
【図５】
0003213973.tif 000007
【手続補正書】
【提出日】平成29年10月24日(2017.10.24)
【手続補正１】
【補正対象書類名】実用新案登録請求の範囲
【補正対象項目名】全文
【補正方法】変更
【補正の内容】
【実用新案登録請求の範囲】
【請求項１】
上部が開口したりんと、前記りんを載置するりん載置部材と、前記りんの底部内側に立設載置するりん棒とを備え、
前記りんは非磁性材からなり、
前記りん棒は底部に磁石を有し、前記りん載置部材は強磁性材又は磁石を有し、
前記りん棒側の磁石と前記りん載置部材側の強磁性材又は磁石との間に前記りんの底部を挟み込んだ状態で前記りん棒を磁力にて前記りんの底部内側に立設載置することを特徴とするおりんセット。
【請求項２】
前記りん棒の底部に設けた磁石はりん棒の底面との間に磁力を調整するための隙間を有することを特徴とする請求項１記載のおりんセット。